(57)【要約】【課題】建物に取付けられている既存の筒樋に後付けで簡単に配線コード保持機能を持たせることが可能となり、また、配線の保持作業、取り外し作業が容易にできる。【解決手段】筒樋１の長手方向の一部に取付けるための取付け部２と、この取付け部２に設けた通線支持部３とを備えた筒樋用配線コード支持具４である。前記筒樋用配線コード支持具４が、配線コード１３を通線して支持するための通線支持部３と、この通線支持部３に配線コード１３を差し込むための差込み部５とを備える。この差込み部５を弾性的に拡げ可能とする。【選択図】図１
2011246959.tif 000002
【特許請求の範囲】
【請求項１】
筒樋の長手方向の一部に取付けるための取付け部と、この取付け部に設けた通線支持部とを備えた筒樋用配線コード支持具であって、前記筒樋用配線コード支持具が、配線コードを通線して支持するための通線支持部と、この通線支持部に配線コードを差し込むための差込み部とを備え、この差込み部を弾性的に拡げ可能として成ることを特徴とする筒樋用配線コード支持具。
【請求項２】
前記取付け部が、前記筒樋の一部に着脱自在に被嵌して取付けるものであることを特徴とする請求項１記載の筒樋用配線コード支持具。
【請求項３】
前記通線支持部が、前記取付け部に対して回転自在であることを特徴とする請求項１又は請求項２記載の筒樋用配線コード支持具。
【請求項４】
前記通線支持部が、前記取付け部に対して着脱自在に取付けてあることを特徴とする請求項１乃至請求項３のいずれか一項に記載の筒樋用配線コード支持具。
【請求項５】
前記通線支持部が、前記取付け部に対して取付け位置可変自在であることを特徴とする請求項１乃至請求項４のいずれか一項に記載の筒樋用配線コード支持具。
【請求項６】
前記取付け部が、前記筒樋を建物に取付けるための樋取付け具の筒樋保持部と同じ又は略同じ形状をしていることを特徴とする請求項１乃至請求項５のいずれか一項に記載の筒樋用配線コード支持具。
【発明の詳細な説明】
【技術分野】
【０００１】
本発明は、配線コードを支持するために縦樋に取付ける筒樋用配線コード支持具に関するものである。
【背景技術】
【０００２】
従来から、縦樋に沿って長尺の配管を沿設し、この配管内に配線コードを通すものが特許文献１により知られている。
【先行技術文献】
【特許文献】
【０００３】
【特許文献１】特開平４−３５７２５８号公報
【発明の概要】
【発明が解決しようとする課題】
【０００４】
前記従来例は、縦樋を建物に取付ける際に、縦樋に長尺の配管を沿わせた状態で、縦樋と配管を一緒にして取付け金具により建物に取付ける構造となっている。
【０００５】
このように、従来例は、配管は縦樋を取付け金具で建物に取付ける時でなければ取付けることができない。したがって、既に建物に取付けられている既存の縦樋に対して後付で配管を簡単に取付けることができない。
【０００６】
また、前記従来例は、縦樋に沿って取付けた長尺の配管の一端から配管内に配線コードを入れ、配管内に通した配線コードを配管の他端から引出すので、配線ダクト内への配線コードの通線作業、取り外し作業が面倒である。
【０００７】
さらに、縦樋に沿って取付けた長尺の配管の長手方向の両端がそれぞれ配線コードの導入口、導出口となっているので、屋根上や軒天井等からの配線コードの引き出し位置や、建物内への配線コードの引き入れ位置に自由に対応できないという問題がある。
【０００８】
本発明は、前記の問題点に鑑みて発明したものであって、筒樋の任意の位置に後付けで配線コード保持機能を持たせることが可能となり、また、配線の保持作業、取り外し作業が容易にできる筒樋用配線コード支持具を提供することを課題とする。
【課題を解決するための手段】
【０００９】
本発明は、筒樋の長手方向の一部に取付けるための取付け部と、この取付け部に設けた通線支持部とを備えた筒樋用配線コード支持具であって、前記筒樋用配線コード支持具が、配線コードを通線して支持するための通線支持部と、この通線支持部に配線コードを差し込むための差込み部とを備え、この差込み部を弾性的に拡げ可能として成ることを特徴とする。
【００１０】
また、前記取付け部が、前記筒樋の一部に着脱自在に被嵌して取付けるものであることが好ましい。
【００１１】
また、前記通線支持部が、前記取付け部に対して回転自在であることが好ましい。
【００１２】
また、前記通線支持部が、前記取付け部に対して着脱自在に取付けてあることが好ましい。
【００１３】
また、前記通線支持部が、前記取付け部に対して取付け位置可変自在であることが好ましい。
【００１４】
また、前記取付け部が、前記筒樋を建物に取付けるための樋取付け具の筒樋保持部と同じ又は略同じ形状をしていることが好ましい。
【発明の効果】
【００１５】
本発明は、筒樋の長手方向の一部に取付けるための取付け部を備えているので、筒樋の長手方向において、縦樋を建物に取付ける取付け金具の位置とは異なる位置に配線コード支持具を取付けることができる。したがって、取付け金具による筒樋の取付け後であっても、筒樋用配線コード支持具を筒樋に対して後付けで取付けることが可能となる。また、筒樋に長尺の配管を沿設するものと異なり、筒樋の一部に取付けるので、屋根上や軒天井等からの筒樋への配線コードの引き込み位置や、建物内への引き入れ位置に応じて筒樋用配線コード支持具を筒樋の任意の位置に取付けることが可能となる。また、通線支持部に配線コードを差し込むための差込み部を備え、差込み部を弾性的に拡げ可能としてあるので、配線コードを差込み部から通線支持部に入れて保持したり、差込み部から外に取り外したりできる。
【図面の簡単な説明】
【００１６】
【図１】本発明の筒樋用配線コード支持具の一実施形態の斜視図である。
【図２】同上の平面図である。
【図３】同上の取付け状態の斜視図である。
【図４】同上の取付け途中の状態の斜視図である。
【図５】（ａ）は取付け状態を示す正面図であり、（ｂ）は取付け状態を示す側面図であり、（ｃ）は取付け状態を示す平面図である。
【図６】同上の配線コードを引掛け支持して筒樋に沿わせている例を示す側面図である。
【図７】同上の要部拡大斜視図である。
【図８】同上の樋取付け具の近くに筒樋用配線コード支持具を取付ける例を示す斜視図である。
【図９】本発明の筒樋用配線コード支持具の他の実施形態を示し、（ａ）は分解斜視図であり、（ｂ）は斜視図である。
【図１０】同上の取付け状態を示し、（ａ）は配線コードを真っ直ぐに通線する例を示す斜視図であり、（ｂ）（ｃ）は配線コードを方向を変えて通線する例を示す斜視図である。
【図１１】本発明の筒樋用配線コード支持具の更に他の実施形態を示し、（ａ）は斜視図であり、（ｂ）は係合部と被係合部との係合を解除して拡げた状態の斜視図である。
【図１２】（ａ）（ｂ）（ｃ）は同上の取付け部に対して通線支持部を移動し且つ回転している各状態を示す斜視図である。
【図１３】本発明の筒樋用配線コード支持具の更に他の実施形態の通線支持部を示す分解斜視図である。
【図１４】（ａ）（ｂ）は同上の通線支持部の取付け部への取付け順序を示す斜視図である。
【図１５】同上の通線支持部を取付け部に取付けた状態の斜視図である。
【発明を実施するための形態】
【００１７】
まず、図１乃至図８に示す実施形態を説明する。
【００１８】
筒樋用配線コード支持具４は、縦樋のような筒樋１の長手方向の任意の一部に取付けるための取付け部２と、この取付け部２に設けた通線支持部３とを備えている。取付け部２は、筒樋１に対して後付けで取付けることができる取付け機能を備えたものであり、筒樋１の長手方向の任意の一部に着脱自在に被嵌できる構造となっている。
【００１９】
取付け部２は全体が環状をしたもので、周方向を複数、添付図面では２つの分割腕７に分割した環状体６により構成している。２つの分割腕７は、一端部同士を軸部８により回動自在に連結しており、一方の分割腕７の他端部に設けた係合部９を、他方の分割腕７の他端部に設けた被係合部１０に着脱自在に弾性的に係合するようになっている。
【００２０】
環状体６は、係合部９を被係合部１０に係合することで環状に閉じられた状態となり、係合部９と被係合部１０との係合を解除して離すことで、軸部８を中心に係合部９と被係合部１０との間を開いて拡げることができるようになっている。
【００２１】
一方の分割腕７の他端部の係合部９を設けた部分には更に外側方に突出する操作部１４を設けており、該操作部１４に指を掛けて係合操作や係合解除の操作を行うことができるようになっている。
【００２２】
環状体６を閉じた状態で環状体６よりなる取付け部２の内径が、縦樋のような筒樋１の外径と同じとなっている。
【００２３】
いずれかの分割腕７の外面には、通線支持部３が一体に設けてあり、この通線支持部３は分割腕７の外面から外側方に向けて突出している。
【００２４】
通線支持部３は略Ｃ字状をしていて、上下及び側方に開口している。通線支持部３の差込み部５が通線支持部３に配線コード１３を差し込むための差込み部５となっており、通線支持部３の差込み部５の開口巾は、通線支持部３の内部の径（最大内径）よりも小さい。
【００２５】
なお、差込み部５の開口巾は、後述の建物の屋外側に沿わせるアンテナ線や電飾用配線コード等の屋外で使用される配線コード１３のうち最小径の配線コード１３の径よりも狭い巾となっているのが好ましい。
【００２６】
ここで、差込み部５を弾性的に拡げることができるように、通線支持部３又は筒樋用筒樋用配線コード支持具４全体は弾性を有する合成樹脂又は金属により形成している。差込み部５の開口両端縁部には外側に行く程、開口巾が広くなるように弧状ガイド１１が設けてある。
【００２７】
通線支持部３における取付け部２を構成する環状体６部分は、筒樋１である縦樋１ａを建物の壁に取付けるための樋取付け具１２の環状をした筒樋保持部１２ａと同じ又はほぼ同じ形状、大きさをしている。つまり、環状体６の形状、径、上下寸法等が筒樋保持部１２ａと同じ又はほぼ同じに形成している。
【００２８】
したがって、環状体６を後述のように縦樋１ａの上下方向の任意の位置に取付けた際、環状体６が樋取付け具１２の筒樋保持部１２ａと同じ外観を呈して、筒樋用配線コード支持具４が目立たないようにできる。
【００２９】
また、通線支持部３の上下寸法は環状体６の上下方向の寸法と同じか又は短くする。添付図面に示す実施形態では、図１に示すように、通線支持部３の上下寸法を環状体６の上下方向の寸法より短くしており、これにより通線支持部３をできるだけ目立たないようにできる。
【００３０】
前記構成の筒樋用配線コード支持具４は、縦樋１ａ、呼び樋１ｂ、屋根上に這わせる這樋（図示せず）等の筒状をした樋、つまり筒樋１の長手方向の任意の位置に図３のように取付けることができる。
【００３１】
取付けに当たっては次のようにして行う。まず、係合部９と被係合部１０との係合を解除して、軸部８を中心に係合部９と被係合部１０との間を開いて拡げた状態で、筒樋１の長手方向の任意の位置に、図４のように、両分割腕７を外嵌し、次に、図３、図５のように係合部９を被係合部１０に係合することで、環状体６を閉じて筒樋１の長手方向の任意の位置に簡単に取付けることができる。この場合、屋根上や軒天井等からの筒樋への配線コード１３の引き込み位置や、建物内への引き入れ位置に応じて筒樋用配線コード支持具４を筒樋１の長手方向の任意の位置に取付けることが可能となる。また、筒樋１への筒樋用配線コード支持具４の取付ける数、ピッチ等も任意に選択できる。
【００３２】
そして、アンテナ線や電飾用配線コード等の屋外で使用される配線コード１３を、略Ｃ字状をした通線支持部３の差込み部５から通線支持部３内に入れて通線することで配線コード１３を通線支持する。この場合、配線コード１３の径が差込み部５の開口巾よりも大きくても、弾性により差込み部５を押し広げることで簡単に通線支持部３内に入れて引掛け支持することができる。配線コード１３を通線支持部３内に入れてしまうと、図７のように差込み部５が弾性復元力で元のように狭くなり、配線コード１３が強風などで外れないようになっている。
【００３３】
このようにして、建物の屋外に配置してある任意の筒樋１の任意の位置に筒樋用配線コード支持具４を取付けて配線コード１３を通線支持できるので、配線コード１３が軒先から垂れたり、乱雑に通ることなく、図６に示すように任意の筒樋１に沿って支持して収まりよく通線支持することができる。また、配線コード１３を取り外すに当たっては、差込み部５を押し広げて配線コード１３を側方に抜き取ることで通線支持部３から簡単に取り外すことができる。
【００３４】
したがって、配線コード１３の引掛け支持、取り外しが簡単にでき、配線コード１３を引掛け支持した状態での外観が良くなり、強風により配線コード１３が暴れたりしようにでき、安全面でも有効である。
【００３５】
また、取付け部２を筒樋１の長手方向の任意の位置に取付けるものであるから、建物への樋取付け具１２による筒樋１の取付けとは独立して筒樋用配線コード支持具４を筒樋１の長手方向の樋取付け具１２による取付位置とは異なる任意の位置に取付けることができる。したがって、樋取付け具１２による筒樋１の取付け後であっても、筒樋１に筒樋用配線コード支持具４を後付けで取付けることが可能となる。特に、添付図面に示すように、取付け部２を環状に閉じた状態と、環状の一部が分離して開く状態を選べるように開閉自在な構成としたものにおいては、筒樋用配線コード支持具４を既存の筒樋１への後付けが簡単にできる。
【００３６】
これにより例えば、アンテナ工事や屋外の電飾のために、アンテナ線や電飾用配線コード等の配線コード１３の配線作業を行う際に、必要に応じて、筒樋用配線コード支持具４を前述のようにして筒樋１に後付けで取付けて前記のように配線コード１３を通線支持できる。また、配線コード１３の使用が終わり、筒樋用配線コード支持具４が必要でなくなると係合部９と被係合部１０との係合を解除することで簡単に筒樋１から取り外すことができる。
【００３７】
また、図３に示す実施形態のように、取付け部２が円環状をしていて円筒状の筒樋１に被嵌して取付けるものにおいては、筒樋用配線コード支持具４の取付けに当たり、通線支持部３が筒樋１の外周からの突出方向を任意に選択できるので、配線コード１３の筒樋１の側への引き込み方向や筒樋１側から引出す方向を現場の状況に応じて任意に選択でき、収まりがよくなる。また、通線支持部３が筒樋１と建物の壁との間に位置するようにすることもでき、この場合は、通線支持部３、配線コード１３が筒樋１の裏側（建物の壁側）に隠れるので、外から見えにくくて外観がよりいっそうよくなる。
【００３８】
なお、取付け部２を筒樋１に被嵌して取付けた状態で、接着剤で筒樋１に接着するようにしてもよい。ここで、図８のように、樋取付け具１２の近くに筒樋用配線コード支持具４を取付ける際は、筒樋１の伸縮を考慮して樋取付け具１２から１０ｍｍ程度離して接着する。
【００３９】
次に、筒樋用配線コード支持具４の他の実施形態を図９、図１０に基づいて説明する。前記実施形態では、取付け部２に通線支持部３を一体に設けた例を示したが、本実施形態においては、取付け部２に別体の通線支持部３を回転自在に取付けた例を示している。本実施形態は図９に示すように、取付け部２を複数の分割腕７よりなる環状体６で構成し、分割腕７に通線支持部３を回転自在に取付けている。分割腕７には孔１５が設けてあり、この孔１５は外面側の半分が小径孔部１５ａ、内面側の半分が大径孔部１５ｂとなっている。通線支持部３には軸１６を突設しており、この軸１６を分割腕７の孔１５に回転自在に軸支している。ここで、軸１６の小径軸部１６ａが孔１５の小径孔部１５ａに嵌め込まれ、大径軸部１６ｂが大径孔部１５ｂに嵌め込まれて軸１６が孔１５から抜けないようになっている。
【００４０】
取付け部２に別体の通線支持部３を回転自在に取付ける当たり、通線支持部３の大きさの異なるものを複数種類用意し、通線させる配線コードの径、あるいは、通線本数等に応じて最適の大きさの通線支持部３を取付け部２に取付けることが可能である。
【００４１】
本実施形態のように、取付け部２に対して通線支持部３を回転自在とすることで、現場の状況に応じて取付け部２の軸方向に対する通線支持部３の軸方向の角度を自在に調整することができる。
【００４２】
例えば、筒樋用配線コード支持具４で縦樋１ａや呼び樋１ｂに沿わせて配線コード１３を支持する場合は、図１０（ａ）に示すように、略Ｃ字状の通線支持部３に配線コード１３を略真っ直ぐ通線するのが好ましい。このため、略Ｃ字状の通線支持部３の軸方向（通線方向）が筒樋用配線コード支持具４を取付けた縦樋１ａ又は呼び樋１ｂの軸方向と平行又は略平行となるようにする。つまり、取付け部２の軸方向を、筒樋用配線コード支持具４の軸方向に対して平行又は略平行となるようにする。
【００４３】
一方、屋根上や軒天井から引き込んだ配線コード１３を、呼び樋１ｂに取付けた筒樋用配線コード支持具４部分に引き込んで配線コード１３の向きを変える場合や、縦樋１ａに沿わせた配線コード１３を縦樋１ａの任意の位置に取付けた配線コード支持具４部分で建物の壁側に向きを変えて建物内に引き入れる場合は、いずれも、配線コード１３の方向を変えて通線させる必要がある。この方向を変えて通線する際、配線コード１３が差込み部５から抜け出ないように、例えば、図１０（ｂ）、図１０（ｃ）のように、略Ｃ字状の通線支持部３の軸方向（通線方向）を筒樋用配線コード支持具４を取付けた縦樋１ａ又は呼び樋１ｂの軸方向に対して非平行にする。つまり、取付け部２を筒樋用配線コード支持具４に対して任意の角度回転して、取付け部２の軸方向を、筒樋用配線コード支持具４の軸方向に対して非平行となるようにする。この場合、更に、図１０（ｂ）の矢印のように、取付け部２を同時に筒樋１に対して回転することで、配線コード１３の方向を変えて通線する際、差込み部５から配線コード１３が抜けるのをより確実に防止できる。
【００４４】
次に、筒樋用配線コード支持具４の更に他の実施形態を図１１、図１２に基づいて説明する。上記各実施形態では、取付け部２を構成する環状体６が円環状をしていて、円筒状の筒樋１に被嵌するように構成したが、本実施形態は、取付け部２を構成する環状体６が角型環状をしていて、角筒状の筒樋１に対して着脱自在に被嵌するように構成している。また、この実施形態では、通線支持部３が、取付け部２に対して取付け位置可変自在となっている。すなわち、図１１（ａ）（ｂ）に示すように、分割腕７に長孔１７が設けてあり、この長孔１７は外面側の半分が巾狭長孔部１７ａ、内面側の半分が巾広長孔部１７ｂとなっている。通線支持部３には軸１６が突設してあり、この軸１６を分割腕７の孔１５に回転自在に軸支している。ここで、軸１６の小径軸部１６ａが長孔１７の巾狭長孔部１７ａにスライド自在且つ回転自在嵌め込まれ、大径軸部１６ｂが巾広長孔部１７ｂにスライド自在且つ回転自在に嵌め込まれて、長孔１７に対してスライド自在且つ回転自在な軸１６が抜けないようになっている。
【００４５】
これにより取付け部２に対して通線支持部３をスライドさせることで、図１２（ａ）（ｂ）（ｃ）のように、現場の状況に応じた最も好ましい通線支持部３の位置を選択できる。
【００４６】
本実施形態においても、前述の実施形態と同様に、取付け部２に通線支持部３が回転自在となっていて、現場の状況に応じて取付け部２の軸方向に対する通線支持部３の軸方向の角度を自在に調整することができる。
【００４７】
また、本実施形態においても、取付け部２に別体の通線支持部３を回転自在に取付ける当たり、通線支持部３の大きさの異なるものを複数種類用意し、通線させる配線コードの径、あるいは、通線本数等に応じて最適の大きさの通線支持部３を取付け部２に取付けることが可能である。
【００４８】
次に、筒樋用配線コード支持具４の更に他の実施形態を図１３、図１４、図１５に基づいて説明する。本実施形態では、通線支持部３を取付け部２に着脱自在に取付けている。通線支持部３を取付け部２に着脱自在に取付けるには例えば、通線支持部３に設けた係止部１８を取付け部２に設けた被係止部１９に着脱自在に係止することで取付ける。
【００４９】
図１４には着脱自在に係止する一例を示している。本実施形態では図１３に示すように通線支持部３にコ字状をした係止部１８を設けてあり、このコ字状の係止部１８の両先端に互いに対向する方向に突出した係止片１８ａを設けている。
【００５０】
本実施形態では図１４（ａ）→図１４（ｂ）のように、上記係止片１８ａを備えた係止部１８を分割腕７の長手方向の先端部から被嵌し、係止片１８ａを分割腕７の巾方向の両端の被係止部１９に係止することで、通線支持部３を取付け部２に着脱自在に取付けている。図１５の矢印のように、取付け部２を分割腕７の長手方向に沿ってスライドさせることができ、通線支持部３を分割腕７の長手方向の任意の位置に取付けることができる。
【００５１】
本実施形態のように、通線支持部３を取付け部２に着脱自在に取付けるものにおいては、現場で、通線させる配線コードの径、あるいは、通線本数等に応じて最適の大きさの通線支持部３を選択して取付けることができる。また、施工後であっても、通線する配線コード１３が増減する場合、通線支持部３を取付け部２から外して異なる大きさの通線支持部３と交換することができる。
【００５２】
なお、図１３乃至図１５の実施形態において、コ字状をした係止部１８に対して通線支持部３を回転自在に取付けることで、取付け部２に対して通線支持部３が回転自在となるようにしてもよい。図１３において、コ字状をした係止部１８に小径孔部１５ａ’と大径孔部１５ｂ’を連通形成した孔１５’を形成し、通線支持部３に突出基部が小径軸部１６ａとなり突出先端部が大径軸部１６ｂとった軸１６を設け、軸１６の小径軸部１６ａを孔１５’の小径孔部１５ａ’に嵌め込むと共に、大径軸部１６ｂを大径孔部１５ｂ’に嵌めこんで取付け部２に対して通線支持部３を回転自在としている。なお、通線支持部３を回転自在とすることによる作用、効果は前述の通りなので説明は省略する。
【００５３】
また、通線支持部３を取付け部２に着脱自在に取付ける構造は上記の例にのみ限定されず、種々設計変更可能である。また、前述の図９や図１１に示す実施形態においても、通線支持部３を取付け部２に着脱自在としてもよい。
【符号の説明】
【００５４】
１  筒樋
２  取付け部
３  通線支持部
４  筒樋用配線コード支持具
５  差込み部
【図１】
2011246959.tif 000003
【図２】
2011246959.tif 000004
【図３】
2011246959.tif 000005
【図４】
2011246959.tif 000006
【図５】
2011246959.tif 000007
【図６】
2011246959.tif 000008
【図７】
2011246959.tif 000009
【図８】
2011246959.tif 000010
【図９】
2011246959.tif 000011
【図１０】
2011246959.tif 000012
【図１１】
2011246959.tif 000013
【図１２】
2011246959.tif 000014
【図１３】
2011246959.tif 000015
【図１４】
2011246959.tif 000016
【図１５】
2011246959.tif 000017